(57)【特許請求の範囲】
【請求項１】
掃除機本体内の後部側に設けられる電動送風機およびコードリールユニットと、前記掃除機本体内の前部側に設けられる集塵フィルタと、前記コードリールユニットに駆動され、前記集塵フィルタに付着する塵埃を除塵する除塵装置とを有する電気掃除機において、
前記除塵装置は、前記集塵フィルタに除塵振動を加える除塵振動部材と、除塵駆動回転筒体と、前記除塵振動部材に摺接し、回転により除塵振動部材に振動を生じさせるところの前記除塵駆動回転筒体の外周に設けられたカムバネとを有し、
前記カムバネは、前記除塵駆動回転筒体の周りに螺旋状に巻装され、
前記カムバネは、螺旋を構成する個々の輪が多角形状を有し、
前記カムバネは、前記除塵振動部材の押圧負荷が重くなると、前記除塵駆動回転筒体に対してスライド移動、または当該カムバネ自体が斜めに逃げるように設けられていることを特徴とする電気掃除機。
【請求項２】
掃除機本体内の後部側に設けられる電動送風機およびコードリールユニットと、前記掃除機本体内の前部側に設けられる集塵フィルタと、前記コードリールユニットに駆動され、前記集塵フィルタに付着する塵埃を除塵する除塵装置とを有する電気掃除機において、
前記除塵装置は、前記集塵フィルタに除塵振動を加える除塵振動部材と、除塵駆動回転筒体と、前記除塵振動部材に摺接し、回転により除塵振動部材に振動を生じさせるところの前記除塵駆動回転筒体の外周に設けられたカムバネとを有し、
前記カムバネは、前記除塵駆動回転筒体の周りに螺旋状に巻装され、
前記カムバネは、螺旋を構成する個々の輪が楕円形状を有し、
前記カムバネは、前記除塵振動部材の押圧負荷が重くなると、前記除塵駆動回転筒体に対してスライド移動、または当該カムバネ自体が斜めに逃げるように設けられていることを特徴とする電気掃除機。
【請求項３】
請求項１に記載された電気掃除機において、
前記カムバネは、前記除塵駆動回転筒体に着脱自在に装着されていることを特徴とする電気掃除機。
【請求項４】
請求項１記載の電気掃除機において、
個々の輪が有する多角形状の角部を前記除塵駆動回転筒体の長手方向に揃えたことを特徴とする電気掃除機。
【請求項５】
請求項１、３または４の何れに記載された電気掃除機において、
前記除塵振動部材は、上側を支点として振揺自在に垂れ下がることを特徴とする電気掃除機。
【請求項６】
請求項１、３、４または５の何れに記載された電気掃除機において、
前記除塵振動部材は、振揺自在に支持され、
前記カムバネの押圧に抗する方向の力を付与する付勢バネを前記除塵振動部材に設けたことを特徴とする電気掃除機。
【請求項７】
請求項１、３、４、５または６の何れに記載の電気掃除機において、
前記集塵フィルタとして紙袋式集塵フィルタを用い、
前記除塵振動部材は、前記紙袋式集塵フィルタの底部が接する底辺部と前記紙袋式集塵フィルタの後部が接する側辺部よりなるＬ形を有することを特徴とする電気掃除機。
【請求項８】
請求項２記載の電気掃除機において、
前記カムバネは、前記除塵駆動回転筒体に着脱自在に装着されていることを特徴とする電気掃除機。
【請求項９】
請求項２記載の電気掃除機において、
前記除塵振動部材は、上側を支点として振揺自在に垂れ下がることを特徴とする電気掃除機。
【請求項１０】
請求項２記載の電気掃除機において、
前記除塵振動部材は、振揺自在に支持され、
前記カムバネの押圧に抗する方向の力を付与する付勢バネを前記除塵振動部材に設けたことを特徴とする電気掃除機。
【請求項１１】
請求項２記載の電気掃除機において、
前記集塵フィルタとして紙袋式集塵フィルタを用い、
前記除塵振動部材は、前記紙袋式集塵フィルタの底部が接する底辺部と前記紙袋式集塵フィルタの後部が接する側辺部よりなるＬ形を有することを特徴とする電気掃除機。
【発明の詳細な説明】
【技術分野】
【０００１】
本発明は、集塵フィルタの除塵を行う除塵装置が備わる電気掃除機に関する。
【背景技術】
【０００２】
一般的な電気掃除機は、吸口から吸い込んだ含塵空気を掃除機本体に導き、この掃除機本体内の集塵部を通して集塵し、塵埃が補足され清浄になった空気を掃除機本体外に排気する構成である。集塵部は、紙フィルタによる濾過によって塵埃を捕捉して集塵する紙袋式フィルタ方式と、サイクロン分離筒による遠心分離によって塵埃を捕捉して集塵するサイクロン型方式の２系統が主流となっている。特に最近の電気掃除機は、紙袋式の集塵フィルタを使用する形態ものが徐々に主流になっている。
【０００３】
紙袋式集塵フィルタを使用する電気掃除機は、捕獲した塵によって紙袋内が満杯になったときには集塵フィルタを取り外して使い捨て（新しい集塵フィルタと交換）することができるので、取り扱いが便利である。
【０００４】
しかしながら、紙袋式集塵フィルタは、紙袋内が塵で満杯になる前から濾過面に付着した微細な塵によって目詰り現象を起こして通気抵抗が増加することから、所定の時期に集塵フィルタに振動を与えて濾過面に付着した微細塵を紙袋内の底部に震い落すようにして除塵する除塵機構を設けることが提案されている。
【０００５】
除塵機構は、紙袋式集塵フィルタの外周面に作用する除塵子を振動させることによって該紙袋式集塵フィルタの内面（濾過面）に付着した微細な塵を震い落す構成である。除塵子を振動させる除塵子駆動機構としては、電磁振動で振動させる構成の電磁式駆動機構や、電源コードの巻き取りに用いるコードリールの回転を伝達して振動させる構成のコードリール式駆動機構が、特許文献１，特許文献２に提案されている。
【０００６】
【特許文献１】特開平５−１９２２７８号公報
【特許文献２】特開２００４−１７４２６８号公報
【発明の開示】
【発明が解決しようとする課題】
【０００７】
紙袋式集塵フィルタを除塵する除塵機構は、集塵フィルタの外周面に外側から力を作用させて振動を発生させる構成となるが、集塵室内にて通気圧力により膨らんでいる紙袋式集塵フィルタに外側から大きな力を繰り返し与えることは、紙袋式集塵フィルタの破れ等の問題が発生し構成が非常に難しい。
【０００８】
従って、除塵機構は、紙袋式集塵フィルタに効率良く振動を発生させることを目的に、小さな振動で効率良く塵を震い落すことができ、更に震い落した塵がその後の使用（通風）で再び舞い上がって濾過面に付着して目詰りするのを抑制するようにすることが望ましい。
【０００９】
また、除塵機構における除塵子駆動機構は、掃除機本体内の限られたスペースに簡単に取り付けて収容することができるように構成することが望まれる。
【００１０】
また、除塵機構の駆動は、コードリールユニットの電源コードの引き出しに行うので、除塵機構の駆動力はできるだけ軽減することが求められる。
【００１１】
本発明は、上記の問題に鑑み、除塵機構を駆動する電源コードの引き出しに過大な負荷がかからない電気掃除機を提供することを目的とする。
【課題を解決するための手段】
【００１２】
本発明は、掃除機本体内の後部側に設けられる電動送風機およびコードリールユニットと、掃除機本体内の前部側に設けられる集塵フィルタと、コードリールユニットに駆動され、集塵フィルタに付着する塵埃を除塵する除塵装置とを有する電気掃除機において、除塵装置は、集塵フィルタに除塵振動を加える除塵振動部材と、除塵駆動回転筒体と、除塵振動部材に摺接し、回転により除塵振動部材に振動を生じさせるところの除塵駆動回転筒体の外周に設けられたカムバネとを有することを特徴とする。
【発明の効果】
【００１３】
本発明によれば、除塵機構を駆動操作する電源コードの引き出しが軽く行なえる電気掃除機を提供することができる。
【発明を実施するための最良の形態】
【００１４】
本発明の実施例に係わる図に沿って本発明を説明する。
【００１５】
図１は、電気掃除機の外観図であり、後端面を床に当接して起立させた収納状態を示している。そして、１は掃除機本体、２はホースユニット、３は延長管、４は吸口である。
【００１６】
掃除機本体１は、具体的には後述するが、吸気用の電動吸引ファン（電動送風機）と紙袋式の集塵フィルタを設置する集塵室と除塵機構を内蔵する。電動送風機は掃除機本体１の後部側に、集塵フィルタは掃除機本体１の前部側に内置される。コードリールユニットも後部側に電動送風機の隣りに隣接して置かれる。
【００１７】
この掃除機本体１は、主車輪５とキャスター６によって床面を走行するように横長にした姿勢（通常の使用時の姿勢）にして使用する。そして、この掃除機本体１は、ハンドル７を引き起こして持ち運びする。
【００１８】
ホースユニット２は、ホース２ａの後端に掃除機本体１の集塵室に連通するように該掃除機本体１に嵌着する本体接続管２ｂを備え、先端に延長管３を嵌着すると共に使用（掃除）時に把持するホースグリップ２ｃを備える。ホースグリップ２ｃは、電動吸引ファン（電動送風機）を運転制御するための指示スイッチ（図示省略）を備える。
【００１９】
延長管３は、後端が前記ホースグリップ２ｃに嵌着され、先端に吸口４が嵌着される。
【００２０】
図２〜図４は、掃除機本体１を断面して内部構造を示す図面である。図２は、掃除機本体１の中央部を切断した縦断側面図、図３は、掃除機本体１における除塵機構を示すように切断した横断平面図、図４は、掃除機本体１における除塵機構の除塵子駆動機構を示すように切断した縦断側面図である。また、図５は、紙袋式集塵フィルタの着脱形態を示す掃除機本体１の縦断側面図である。
【００２１】
掃除機本体１の外殻は、主として、本体下ケース８と本体上ケース９と集塵室蓋１０によって構成し、その内部の前半部分に集塵室１１を形成し、後半部分に電動ファン室１２を形成する。
【００２２】
掃除機本体１の内部を集塵室１１と電動ファン室１２に仕切って区画する仕切り壁は、本体下ケース８の底部から上向きに伸び、中央部に通気窓８ａを備えた下ケース仕切り壁部８ｂと、本体上ケース９から下向きに伸びる上ケース仕切り壁部９ａを接合することによって構成する。
【００２３】
集塵室１１は、その上方を開放して集塵室蓋１０によって開閉自在に構成する。集塵室１１の上方開放端縁は、本体下ケース８によって構成し、この端縁には集塵室蓋パッキン１３を設置し、集塵室１１の上方開放端を閉じるように倒した集塵室蓋１０の下端縁を密接させて気密状態を実現する構成とする。
【００２４】
この集塵室１１の前側の壁部には、ホースユニット２の本体接続管２ｂを嵌着してホース２ａを集塵室１１に連通させるように貫通したホース差込口１４ａを備えたホース嵌着部材１４を取り付ける。
【００２５】
このホース嵌着部材１４の内端は、集塵室１１の前側壁部に位置して該集塵室１１内に露出させ、集塵室１１内に挿入してフィルタクランプ１５によって拘束した紙袋式の集塵フィルタ１６の口紙１６ａに密接するように構成する。
【００２６】
下ケース仕切り壁部８ｂにおける前記通気窓８ａの集塵室１１側には、前記下ケース仕切り壁部８ｂに沿って除塵子１７（除塵振動部材）を設置する。
【００２７】
この除塵子１７（除塵振動部材）は、図６に示すように、通気性に富んだ方形の格子状枠体１７ａを主体にして構成し、上端部分の両側に支軸１７ｂ，１７ｃを突設して前記下ケース仕切り壁部８ｂの上端部分に揺動可能（振揺自在）に係止するように取り付ける構成である。つまり、除塵子１７（除塵振動部材）は、上側を支点として振揺自在に垂れ下がる。このため、除塵子１７（除塵振動部材）の支持構成が簡単で振揺作動も円滑に行なわれる。
【００２８】
除塵子１７（除塵振動部材）は、付勢バネ１７ｄを備える。この付勢バネ１７ｄにより、除塵子１７（除塵振動部材）は、後側に引かれる。除塵子１７（除塵振動部材）は、付勢バネ１７ｄで常に引かれているので、除塵振動部材の往復振動が確実に行なわれる。
【００２９】
また、除塵子１７（除塵振動部材）は、紙袋式の集塵フィルタの底部が接する底辺部１７０ａと紙袋式の集塵フィルタ１６の後部が接する側辺部１７０ｂよりなるＬ形を有することを特徴とする。
【００３０】
その下端部分を背後から除塵子駆動機構により、繰り返し押圧駆動することによって揺動させて集塵室１１内で膨らんだ紙袋式の集塵フィルタ１６の濾過用紙袋１６ｂの外周面（膨らんだ紙袋の口紙１６ａに対向する奥側壁面部）を繰り返し押圧する構成である。この除塵子駆動機構（除塵装置）の詳細については後述する。
【００３１】
このように構成した集塵室１１には、集塵室蓋１０を開放して紙袋式集塵フィルタ１６を着脱する。紙袋式集塵フィルタ１６は、吸気窓１６ａ１を形成した口紙１６ａと、濾過用紙袋１６ｂによって構成される。
【００３２】
この紙袋式集塵フィルタ１６の装着は、集塵室蓋１０を起立させて集塵室１１の上方を開放した状態で紙袋式集塵フィルタ１６を該集塵室１１内に挿入し、口紙１６ａをフィルタクランプ１５で拘束して該口紙１６ａをホース嵌着部材１４の内端に密着させて該口紙１６ａの吸気窓１６ａ１とホース嵌着部材１４のホース差込口１４ａを整合させることによって濾過用紙袋１６ｂ内とホース２ａを連通させるようにして行う。
【００３３】
そして、集塵室蓋１０を倒して集塵室１１の上方を閉じる。このようにして装着されている紙袋式集塵フィルタ１６の取り外しは、集塵室蓋１０を起立させて集塵室１１の上方を開放して紙袋式集塵フィルタ１６の口紙１６ａの拘束を解くようにフィルタクランプ１５を操作することにより、該紙袋式集塵フィルタ１６を自由な状態にして行う。
【００３４】
この実施例で使用する紙袋式集塵フィルタ１６について、図７の（ａ）〜（ｃ）および図８の（ａ），（ｂ）を参照して説明する。
【００３５】
濾過用紙袋１６ｂは、特公平７−８５７３６号公報に記載されているように、吸込口１６ｂ１を設けた方形の濾紙を両端開口の筒状体に形成し、前記吸込口１６ｂ１が平面に位置するように前記筒状体を押し潰し（折り曲げ）ながら、両折り曲げ部分を蛇腹１６ｂ２に形成した開口端方向に細長い長方形の偏平形状に整形し、両端開口端縁部分を丸め込むように折り返しながら糊付けして塞ぐ封止縁部１６ｂ３を形成する。
【００３６】
このように偏平形状に形成した濾過用紙袋１６ｂは、前記吸込口１６ｂ１が位置する平面を方形の口紙１６ａの後側に前記吸込口１６ｂ１を吸気窓１６ａ１に整合させるように接着し、口紙１６ａから長くはみ出した封止縁部１６ｂ３方向のはみ出し部分を口紙１６ａの後方に重ねるように後側に折り返す。
【００３７】
濾過用紙袋１６ｂを構成する濾紙は、この実施例１においては３層構造であり、濾過用紙袋１６ｂの内側になる内側層は比較的大きな塵を捕捉する目の粗い層であり、中間層は微細塵を捕捉する目の極めて細かい層であり、外側になる外側層は補強層である。
【００３８】
このように構成した紙袋式集塵フィルタ１６は、周囲に対して濾過用紙袋１６内の気圧が高くなって偏平形状から立方形状に膨らむときに、両側の蛇腹１６ｂ２の部分が後方に伸びると共に後側に重ねるように折り返した部分が復元して口板１６ａからはみ出す方向に長く伸びることになる。
【００３９】
この実施例において、この紙袋式の集塵フィルタ１６は、前記濾過用紙袋１６ｂにおける口紙１６ａの後側に重ねるように折り返した部分が上下方向に伸びて縦長状態に膨らむような姿勢に集塵室１１内に設置する。
【００４０】
すなわち、掃除機本体１を主車輪５とキャスター６によって走行させる姿勢にした状態において、濾過用紙袋１６ｂの蛇腹１６ｂ２の部分が両横側方向に位置し、両端開口端を丸め込むように折り返して塞いだ封止縁部１６ｂ３が上下方向に位置する姿勢で集塵室１１内に納まるように設置する。
【００４１】
電動ファン室１２内には、電動吸引ファン１８（電動送風機）とコードリールユニット１９と制御装置２０を内蔵する。
【００４２】
電動吸引ファン１８は、集塵室１１内の空気を通気窓８ａを通して吸い出すように下ケース仕切り壁部８ｂにファンパッキン２１を介して気密状態に接合させて取り付ける。
【００４３】
コードリールユニット１９は、回転して電源コード２２を巻き込み／巻き出しする巻き付けドラム２３と、この巻き付けドラム２３の両側端に設けたドラム側板２４，２５を備える。ドラム側板２５の外周縁にはドラム側板歯車部２５ａを一体的に形成する。そして、このコードリールユニット１９は、前記電動吸引ファン１８の横に位置させてドラム回転軸心が本体下ケース８の底面に対して平行で横向きの状態となるように設置する。
【００４４】
前記除塵子１７（除塵振動部材）を押圧する除塵子駆動機構（除塵装置）を構成する除塵子駆動ユニット２６の具体的な構成を図９および図１０を参照して説明する。
【００４５】
除塵子駆動ユニット２６は、前記コードリールユニット１９の回転によって駆動されて回転する除塵子駆動回転筒体２７を備え、この除塵子駆動回転筒体２７を回転させることにより該除塵子駆動回転筒体２７に装着されたカムバネ２８によって除塵子１７（除塵振動部材）の後面を繰り返し押圧して該除塵子１７を揺動させる構成である。
【００４６】
除塵子１７（除塵振動部材）には、カムバネ２８の押圧に抗する方向の力を付与する付勢バネ１７ｄが設けられているので、除塵子駆動回転筒体２７の回転にともなって除塵子１７（除塵振動部材）は振動するのである。
【００４７】
前記下ケース仕切り壁８における前記通気窓８ａの下側で集塵室１１内側に位置して前記除塵子１７の下端部分に対向するように本体下ケース８の底部に設置するように固定し、支軸１７ｂ，１７ｃを支点にして格子状枠体１７ａを揺動させるように駆動する。
【００４８】
除塵子駆動回転筒体２７は、除塵子駆動ユニット基板２９の内側に除塵子駆動回転筒体軸支持部２９ａ，２９ｂを起立させ、この除塵子駆動回転筒体軸支持部２９ａ，２９ｂ間に前記除塵子駆動回転筒体２７を回転可能状態に支持する。
【００４９】
除塵子駆動回転筒体軸支持部２９ａの外側に延長した除塵子駆動回転筒体軸３０は、その外端部に除塵子駆動回転筒体軸歯車３１を備え、この除塵駆動ユニット２６が掃除機本体１に組み付けられた状態で前記コードリールユニット１９のドラム側板歯車部２５ａと噛み合ってドラム側板２５の回転に従動して除塵子駆動回転筒体軸３０を回転させるように機能する。
【００５０】
この除塵子回転筒体駆動軸３０は、除塵子駆動回転筒体２７内に位置させたワンウェイクラッチ（図示省略）を介して該除塵子駆動回転筒体２７と係合し、電源コード２２を引き出すときのドラム側板２５の回転に伴う除塵子駆動回転筒体駆動軸３０の回転を除塵子駆動回転筒体２７に伝達し、電源コード２２を巻き込むときのドラム側板２５の回転に伴う除塵子駆動回転筒体駆動軸３０の回転は除塵子駆動回転筒体２７に伝達しないように構成する。
【００５１】
除塵子駆動回転筒体２７の周り螺旋状に巻装されたカムバネ２８は、螺旋を構成する個々の輪が多角形状を有する。このため、除塵子駆動回転筒体２７の回転によりカムバネ２８の突出部２８ａ（角部）が除塵子１７を押し上げる。
【００５２】
除塵子駆動回転筒体２７の回転が進むに連れ、除塵子１７（除塵振動部材）と接触してカムバネ２８の部位は突出部２８ａ（角部）から平滑部２８ｂに移動し、その繰り返しにより除塵子１７（除塵振動部材）に一定周期、もしくは不定周期の振動を発生させる。
【００５３】
カムバネ２８を構成する輪が正多角形の場合には、振動が一定周期になる。正多角形でない場合には、不定周期になる。
【００５４】
除塵子１７（除塵振動部材）はプラスチック材や金属製の弾性体であり、その弾性力を活かし紙袋式集塵フィルタ１６の濾過用紙袋１６ｂに対し効率の良い振動を与える。
【００５５】
このカムバネ２８の弾力の強さは、紙袋式集塵フィルタ１６の濾過用紙袋１６ｂが強く膨らんで除塵子１７（除塵振動部材）の揺動に大きな抵抗が作用するときに撓んで除塵子駆動回転筒体２７に大きな回転抵抗が作用するのを避けることができる強さとする。このため、除塵機構を駆動する駆動力が大きくならなく、電源コードの引き出しに過大な負荷がかからないのである。
【００５６】
もしも大きな抵抗が発生する状態に陥った場合でも、除塵子駆動回転筒体２７に対してスライド移動、もしくはカムバネ２８自体が斜めに逃げる形状にすることにより、電源コード２２を引き出すときに過大な引き出し抵抗が発生することを防止する。
【００５７】
カムバネ２８は多角形状を有するので、除塵子１７（除塵振動部材）の揺動数は高くなる。紙袋式集塵フィルタ１６は高い振動数で振られるので、効率良く除塵が行なわれる。
【００５８】
また、カムバネ２８は、除塵子駆動回転筒体２７に着脱自在に装着されている。カムバネ２８をメンテナンスする際に、カムバネ２８を除塵子駆動回転筒体２７から容易に外すことができる。
【００５９】
さらに、カムバネ２８が有している個々の輪の突出部２８ａ（角部）は、除塵子駆動回転筒体２７の長手方向に揃っている。このため、個々の輪の突出部２８ａ（角部）は除塵子１７（除塵振動部材）の幅方向に揃って接触するので、部分的に接触するものに比べ、除塵子１７（除塵振動部材）の振動が安定する。安定した除塵が行なわれる。
【００６０】
また、カムバネ２８の形状は、多角形状以外、例えば楕円形状にすることも可能である。
【００６１】
図９に沿って除塵子駆動ユニット基板２９について説明する。
【００６２】
除塵子駆動ユニット基板２９における前記除塵子駆動回転筒体軸支持部２９ａ，２９ｂの外周端縁面２９ｃ，２９ｄと該除塵子駆動回転筒体軸支持部２９ａ，２９ｂ間を結ぶ除塵子駆動ユニット基板２９の両側の端縁面２９ｅは、この除塵子駆動ユニット基板２９を本体下ケース８の底壁から集塵室１１に連なるように形成した除塵子駆動ユニット取り付け窓８ｃに下側から挿入するように嵌着した状態で該本体下ケース８に当接して前記集塵室１１の気密を保持するように機能し、除塵子駆動回転筒体軸支持部２９ａ，２９ｂ間の除塵子駆動回転筒体２７を集塵室１１内の除塵子１７の下端部分の後側に位置させる。
【００６３】
また、除塵子駆動ユニット基板２９は、除塵子駆動回転筒体軸支持部２９ａ，２９ｂ間の前側部分の一部に凹んだ湾曲部分２９ｆを有する。この湾曲部分２９ｆは、本体下ケース８の底部に設けるキャスター収容空間８ｄの一部を構成する。キャスター６は、キャスター収容空間８ｄに取り付けられる。
【００６４】
この除塵子駆動ユニット基板２９の湾曲部分２９ｆは、除塵子駆動ユニット基板２９の全体的な剛性を高めるようにも機能する。そして、この除塵子駆動ユニット基板２９の両端部分には、取り付けねじ貫通穴２９ｇ，２９ｈを設ける。
【００６５】
本体下ケース８への除塵子駆動ユニット２６の取り付け方法について図１０を参照して説明する。
【００６６】
まず、底面を上向きにすることにより除塵子駆動ユニット取り付け窓８ｃを上側に位置させた姿勢に本体下ケース８を置き、除塵子駆動ユニット２６を下向きにして前記除塵子駆動ユニット取り付け窓８ｃに嵌着して取り付けねじ３２，３３によって本体下ケース８にねじ止め固定する。
【００６７】
その際、除塵子駆動ユニット基板２９における前記除塵子駆動回転筒体軸支持部２９ａ，２９ｂの外周端縁面２９ｃ，２９ｄおよび該除塵子駆動回転筒体軸支持部２９ａ，２９ｂ間を結ぶ除塵子駆動ユニット基板２９の両側の端縁面２９ｅには集塵室１１内の気密を保持するため、本体下ケース８と端縁面２９ｅの間には気密を保つ部材が必要である。気密を保つ部材として、除塵子駆動ユニットパッキン３４を介在させる。
【００６８】
この除塵子駆動ユニットパッキン３４の介在は、予め、除塵子駆動ユニット基板２９側または本体下ケース８側に取り付けた状態で除塵子駆動ユニット２６を本体下ケース８の除塵子駆動ユニット取り付け窓８ｃに嵌着することによって実現する。
【００６９】
除塵子駆動ユニット２６は、本体下ケース８の下部に設けるので、集塵室の小さなスペースに簡単に収納される。
【００７０】
主車輪５は、電動ファン室１２の両側に位置させて本体下ケース８の外側に取り付ける。
【００７１】
キャスター６は、本体下ケース８における集塵室１１の底部を本体内側に凹めるように湾曲させて形成したキャスター収容空間８ｄに設置する。
【００７２】
このキャスター６は、中心に取り付け穴６ａを形成した車輪支持体６ｂと該車輪支持体６ｂの偏心位置に取り付けたキャスター車輪６ｃを備える。
【００７３】
そして、前記本体下ケース８における前記キャスター収容空間８ｄの中心に該本体下ケース８から突出させたキャスター支持軸８ｅを前記車輪支持体６ｂの取り付け穴６ａに嵌入するように該車輪支持体６ｂを嵌着して取り付ける。
【００７４】
制御装置２０は、電源コード２２から給電を受け、前記コードグリップ２ｃに設けた指示スイッチからの指示に従って電動吸引ファン１８の運転を制御する。
【００７５】
このように構成した電気掃除機を使用するときには、掃除機本体１におけるホース嵌着部材１４のホース差込口１４ａにホースユニット２の本体接続管２ｂを嵌着し、ホースユニット２のホースグリップ２ｃに延長管３を嵌着し、この延長管３の先に吸口４を嵌着し、掃除機本体１を横長にして主車輪５とキャスター６によって床面を走行するような姿勢にする。この状態で電源コード２２を引き出して商用電源コンセントに接続する。
【００７６】
電源コード２２を引き出すときに回転する巻き付けドラム２３が回転してドラム側板２５も回転することから、このドラム側板２５に形成されているドラム側板歯車部２５ａと噛み合う除塵子駆動回転筒体軸歯車３１が回転して除塵子駆動回転筒体軸３０を回転させ、除塵子駆動回転筒体２７を回転駆動する。
【００７７】
除塵子駆動回転筒体２７が回転すると、その外周面に取り付けた接触子２８が除塵子１７の後面を繰り返し押圧して該除塵子１７を揺動させる。
【００７８】
このとき、図１１の（ａ）〜（ｃ）に示すように、前の吸引掃除によって紙袋式集塵フィルタ１６の濾過用紙袋１６ｂが膨らんでその奥側面が除塵子１７に接触していれば、除塵子駆動回転筒体２７の回転に伴う除塵子１７の揺動に伴って濾過用紙袋１６ｂも揺動（振動）することから、濾過用紙袋１６ｂの濾過面の内面に付着した塵が震い落される。
【００７９】
また、この実施例における紙袋式集塵フィルタ１６は、集塵室１１内において濾過用紙袋１６ｂが縦長に伸びるように膨らんでいることから、除塵子１７の揺動が濾過用紙袋１６ｂにおいて目詰りし易い奥側面の壁に広く作用して該奥側壁を効果的に振動させて該奥側壁の内面に付着した塵を効率良く振るい落とすことができる。
【００８０】
上記実施例では、紙袋式集塵フィルタを挙げて述べたが、本発明は紙袋式集塵フィルタ以外のフィルタ、例えば多重に折った波形フィルタにも適用できる。
【００８１】
上述した主な特徴を以下に列挙する。
（１）．除塵装置は、集塵フィルタに除塵振動を加える除塵振動部材と、除塵駆動回転筒体と、除塵振動部材に摺接し、回転により除塵振動部材に振動を生じさせるところの除塵駆動回転筒体の外周に設けられたカムバネとを有することを特徴とする。
【００８２】
このような特徴の構成を備えるので、カムバネは、除塵子（除塵振動部材）の揺動に大きな抵抗が作用するときに撓んで除塵子駆動回転筒体に大きな回転抵抗が作用するのを避けることができる。このため、除塵機構を駆動する駆動力が大きくならなく、電源コードの引き出しに過大な負荷がかからないのである。
（２）．カムバネは、除塵駆動回転筒体の周りに螺旋状に巻装されていることを特徴とする。
【００８３】
このような特徴の構成を備えるので、除塵子（除塵振動部材）の押圧負荷が重くなるとカムバネはスライド移動、もしくは斜めに逃げるようになる。このため、電源コード２２を引き出しに過大な負荷がかからない。
（３）．カムバネは、螺旋を構成する個々の輪が多角形状を有することを特徴とする。
【００８４】
このような特徴の構成を備えるので、集塵フィルタは多角形状のカムバネで高い振動数で振られ、効率良く除塵が行なわれる。
（４）．カムバネは、螺旋を構成する個々の輪が楕円形状を有することを特徴とする。
【００８５】
このような特徴の構成を備えるので、大きな振動振幅を必要とする除塵に好適である。
（５）．カムバネは、除塵駆動回転筒体に着脱自在に装着されていることを特徴とする。
【００８６】
このような特徴の構成を備えるので、カムバネのメンテナンスが容易である。
（６）．カムバネは、個々の輪が有する多角形状の角部を前記除塵駆動回転筒体の長手方向に揃えたことを特徴とする。
【００８７】
このような特徴の構成を備えるので、除塵振動部材の振動が安定する。安定した除塵が行なわれる。
（７）．除塵振動部材は、上側を支点として振揺自在に垂れ下がることを特徴とする。
【００８８】
このような特徴の構成を備えるので、除塵振動部材の支持構成が簡単で振揺作動も円滑に行なわれる。
（８）．除塵振動部材は、振揺自在に支持され、カムバネの押圧に抗する方向の力を付与する付勢バネを除塵振動部材に設けたことを特徴とする。
【００８９】
このような特徴の構成を備えるので、除塵振動部材の往復振動が確実に行なわれる。
（９）．除塵振動部材は、紙袋式集塵フィルタの底部が接する底辺部と紙袋式フィルタの後部が接する側辺部よりなるＬ形を有することを特徴とする。
【００９０】
このような特徴の構成を備えるので、紙袋式集塵フィルタは底部と後部が振揺されるので除塵が良く行なわれる。
【図面の簡単な説明】
【００９１】
【図１】本発明の実施形態に係る実施例に関するもので、電気掃除機の収納状態の外観側図。
【図２】本発明の実施形態に係る実施例に関するもので、掃除機本体の中央部を切断した縦断側面図。
【図３】本発明の実施形態に係る実施例に関するもので、掃除機本体の除塵機構を示すように切断した横断平面図。
【図４】本発明の実施形態に係る実施例に関するもので、掃除機本体の除塵機構の除塵子駆動機構を示すように切断した縦断側面図。
【図５】本発明の実施形態に係る実施例に関するもので、紙袋式集塵フィルタの着脱形態を示す掃除機本体の縦断側面図。
【図６】本発明の実施形態に係る実施例に関するもので、本発明の除塵斜視図。
【図７】本発明の実施形態に係る実施例に関するもので、本発明の紙パック断側面図。
【図８】本発明の実施形態に係る実施例に関するもので、本発明の紙パック斜視図。
【図９】本発明の実施形態に係る実施例に関するもので、本発明の被除塵部ユニットの斜視図。
【図１０】本発明の実施形態に係る実施例に関するもので、掃除機本体と被除塵部ユニットの分解図。
【図１１】本発明の実施形態に係る実施例に関するもので、本発明の被除塵部における伝達方法を示した図。
【符号の説明】
【００９２】
１…掃除機本体、１８…電動送風機、１９…コードリールユニット、１６…紙袋式の集塵フィルタ、２６…除塵子駆動ユニット、１７…除塵子（除塵振動部材）、２７…除塵駆動回転筒体、２８…カムバネ。
【図１】
0004584793.tif 000002
【図２】
0004584793.tif 000003
【図３】
0004584793.tif 000004
【図４】
0004584793.tif 000005
【図５】
0004584793.tif 000006
【図６】
0004584793.tif 000007
【図７】
0004584793.tif 000008
【図８】
0004584793.tif 000009
【図９】
0004584793.tif 000010
【図１０】
0004584793.tif 000011
【図１１】
0004584793.tif 000012